(57)【要約】【課題】一つの基板に複数の発光部を形成し、これら複数の発光部を直列に接続した場合において、複数の発光部を個別に試験できるようにする。【解決手段】発光装置１０は、基板１１０、複数の発光部１２０、封止部材１３０、及び接続部材（配線１５０及び端子１５２）を備えている。複数の発光部１２０は基板１１０に設けられており、それぞれが有機ＥＬ素子を有している。封止部材１３０は、複数の発光部１２０を封止している。接続部材（配線１５０）は、複数の発光部１２０を直列に接続している。そして接続部材の一部（端子１５２）は、封止部材１３０の外部に位置している。【選択図】図１
2015122262.tif 000002
【特許請求の範囲】
【請求項１】
基板と、
前記基板に設けられ、それぞれが有機ＥＬ素子を有する複数の発光部と、
前記複数の発光部を封止する封止部材と、
前記複数の発光部を直列に接続する接続部材と、
を備え、
前記接続部材の一部は、前記封止部材の外部に位置している発光装置。
【請求項２】
請求項１に記載の発光装置において、
前記接続部材は、
一部が前記封止部材の外部に引き出されていてそれぞれが前記複数の発光部に接続している第１接続部と、
前記第１接続部を互いに接続することにより前記複数の発光部を直列に接続する第２接続部と、
を有する発光装置。
【請求項３】
請求項２に記載の発光装置において、
前記第１接続部を介して前記複数の発光部に接続する回路基板を備え、
前記第２接続部は、前記回路基板に設けられている発光装置。
【請求項４】
請求項３に記載の発光装置において、
前記第１接続部は、前記基板に形成されており、
さらに、前記第１接続部と前記第２接続部とを接続する第３接続部を備える発光装置。
【請求項５】
請求項１に記載の発光装置において、
前記接続部材は分岐しており、当該分岐した部分が前記封止部材の外部に引き出されている発光装置。
【発明の詳細な説明】
【技術分野】
【０００１】
本発明は、発光装置に関する。
【背景技術】
【０００２】
近年は、有機ＥＬ素子を光源として利用した有機ＥＬパネルの開発が進んでいる。有機ＥＬ装置に関する文献としては、例えば特許文献１に記載の技術がある。特許文献１において、同一の基板上には、複数の有機ＥＬ素子が設けられている。そしてこれら複数の有機ＥＬ素子は直列に接続されている。
【先行技術文献】
【特許文献】
【０００３】
【特許文献１】特開２００６−２４５００９号公報
【発明の概要】
【発明が解決しようとする課題】
【０００４】
特許文献１に記載されているように、一つの基板に複数の発光部を形成し、これら複数の発光部を直列に接続する場合がある。この場合、複数の発光部は一つの封止部材で封止されているため、封止部材の外に位置する部材のうち複数の発光部に電気的に接続しているのは、入力端子になる。ここで、入力端子を用いて発光部の試験を行っても、複数の発光部に個別に電力を入力することはできない。従って、複数の発光部を個別に試験することは難しい。
【０００５】
本発明が解決しようとする課題としては、一つの基板に複数の発光部を形成し、これら複数の発光部を直列に接続した場合において、複数の発光部を個別に試験できるようにすることが一例として挙げられる。
【課題を解決するための手段】
【０００６】
請求項１に記載の発明は、基板と、
前期基板に設けられ、それぞれが有機ＥＬ素子を有する複数の発光部と、
前記複数の発光部を封止する封止部材と、
前記複数の発光部を直列に接続する接続部材と、
を備え、
前記接続部材の一部は、前記封止部材の外部に位置している発光装置である。
【図面の簡単な説明】
【０００７】
【図１】実施形態に係る発光装置の構成を示す平面図である。
【図２】図１のＡ−Ａ断面図である。
【図３】図１の変形例を示す図である。
【図４】実施例１に係る発光装置の平面図である。
【図５】図４のＢ−Ｂ断面図である。
【図６】発光装置が有する回路基板の平面図である。
【図７】実施例２に係る発光装置が有する有機ＥＬパネルの構成を示す平面図である。
【図８】図７から封止部材、隔壁、及び第２電極を取り除いた図である。
【図９】図７のＣ−Ｃ断面図である。
【図１０】実施例３に係る発光装置の構成を示す平面図である。
【発明を実施するための形態】
【０００８】
以下、本発明の実施の形態について、図面を用いて説明する。尚、すべての図面において、同様な構成要素には同様の符号を付し、適宜説明を省略する。
【０００９】
図１は、実施形態に係る発光装置１０の構成を示す平面図である。図２は、図１のＡ−Ａ断面図である。図３は、図１の変形例を示す図である。実施形態に係る発光装置１０は、基板１１０、複数の発光部１２０、封止部材１３０、及び接続部材（配線１５０及び端子１５２）を備えている。このとき、配線１５０が端子１５２を兼ねても良い。複数の発光部１２０は基板１１０に設けられており、それぞれが有機ＥＬ素子を有している。封止部材１３０は、複数の発光部１２０を封止している。接続部材（本図に示す例では配線１５０）は、複数の発光部１２０を直列に接続している。そして接続部材の一部（本図に示す例では端子１５２）は、封止部材１３０の外部に位置している。
【００１０】
本図に示す例において、発光装置１０は、有機ＥＬパネル１００を有している。そして、基板１１０、発光部１２０、封止部材１３０、及び接続部材は、有機ＥＬパネル１００に含まれている。ただし、接続部材の一部は、有機ＥＬパネル１００以外の部材（例えば有機ＥＬパネル１００に接続する回路基板）を用いて構成されていてもよい。以下、詳細に説明する。
【００１１】
有機ＥＬパネル１００の基板１１０は、たとえばガラス基板や樹脂基板などの透明基板である。基板１１０は、可撓性を有していてもよい。この場合、基板１１０の厚さは、例えば１０μｍ以上１０００μｍ以下である。この場合においても、基板１１０は無機材料及び有機材料のいずれで形成されていてもよい。基板１１０は、例えば矩形などの多角形である。
【００１２】
基板１１０には、複数の発光部１２０が形成されている。発光部１２０には、少なくとも一つの有機ＥＬ素子が設けられている。この有機ＥＬ素子は、第１電極と第２電極の間に有機層を挟んだ構成を有している。有機層は、正孔輸送層、発光層、及び電子輸送層をこの順に積層した構成を有している。第１電極が陽極の場合は、正孔輸送層が第１電極の上に形成される。また、第１電極が陰極の場合は、電子輸送層が第１電極の上に形成される。なお、有機層は、さらに他の層を有していてもよい。
【００１３】
第１電極及び第２電極のうち少なくとも一方は透光性の電極になっている。また、残りの電極は、例えばＡｌやＡｇなどの金属によって形成されている。透光性の電極の材料は、例えば、ＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）等の無機材料、またはポリチオフェン誘導体などの導電性高分子である。例えば、有機ＥＬ素子が、基板１１０の上に第１電極、有機層、及び第２電極をこの順に積層した構成を有している場合、第１電極は透光性の電極になっており、第２電極は、Ａｌなど光を反射する電極になっている。
【００１４】
複数の発光部１２０は、封止部材１３０によって封止されている。封止部材１３０は、例えば、ガラス、又はステンレスやＡｌなどの金属の薄い板（又は箔）によって形成されており、発光部１２０を収容する部分が上側に窪んでいる。これにより、封止部材１３０と基板１１０の間には、発光部１２０を収容する空間が形成される。この空間には乾燥剤が配置されている。また、この空間をエポキシなどの接着剤で充填しても良い。そして封止部材１３０の縁は、基板１１０に固定されている。
【００１５】
なお、封止部材１３０は、成膜法によって形成された膜であってもよい。この場合、例えばＡＬＤ（Atomic Layer Deposition）法又はＣＶＤ法を用いて形成されている。ＡＬＤ法で形成されている場合、封止部材１３０は、例えば酸化アルミニウムなどの酸化金属膜によって形成されている。ＣＶＤ法で形成されている場合、封止部材１３０は、酸化シリコン膜などの無機絶縁膜によって形成されている。
【００１６】
基板１１０のうち封止部材１３０の外側に位置する部分、例えば基板１１０の縁部には、陽極端子１０２及び陰極端子１０４が形成されている。陽極端子１０２は、引出配線１２２を介して一つの発光部１２０に接続しており、陰極端子１０４は、引出配線１２４を介して他の発光部１２０に接続している。引出配線１２２，１２４は、封止部材１３０で封止されている空間から封止部材１３０の外部に引き出されている。
【００１７】
複数の発光部１２０は、配線１５０によって直列に接続されている。具体的には、配線１５０は、電気的に上流側に位置する発光部１２０の陰極にされており、かつ、電気的に下流側に位置する発光部１２０の陽極に接続されている。本図に示す例において、有機ＥＬパネル１００は発光部１２０を２つ有しているため、配線１５０は一つのみ設けられている。ただし、図３に示すように、有機ＥＬパネル１００が発光部１２０を３つ以上有している場合、配線１５０は、隣り合う発光部１２０の間のそれぞれに設けられている。そして、配線１５０は、封止部材１３０の内部に位置している。
【００１８】
また、本図に示す例において、基板１１０には、端子１５２が設けられている。端子１５２は封止部材１３０の外側（例えば基板１１０の縁部）に位置している。そして、配線１５０から分岐した配線が封止部材１３０の外側に引き出され、当該引き出された部分に端子１５２が設けられている。図３に示すように配線１５０が複数設けられている場合、端子１５２は、複数の配線１５０のそれぞれに設けられている。
【００１９】
有機ＥＬパネル１００は、さらに、陽極リード部１４２及び陰極リード部１４４を有している。陽極リード部１４２及び陰極リード部１４４は、いずれもリードフレームで形成された端子であり、絶縁被膜が形成されていない。ただし、陽極リード部１４２及び陰極リード部１４４には、絶縁被膜が形成されていてもよい。陽極リード部１４２及び陰極リード部１４４の一端は、基板１１０を挟み込む形状を有している。陰極リード部１４４は、一端側で基板１１０を挟み込むことにより、陰極端子１０４に接続し、かつ基板１１０に固定される。陽極リード部１４２及び陰極リード部１４４の他端側は、有機ＥＬパネル１００の非発光面側に伸びている。なお、陽極リード部１４２についても同様である。
【００２０】
なお、端子１５２には、陽極リード部１４２と同様のリード部が接続されていてもよいし、接続されていなくてもよい。端子１５２にリード部が接続されている場合、端子１５２に印加される電圧を、陽極端子１０２に印加される電圧と陰極端子１０４に印加される電圧の間に設定し、かつ、端子１５２に印加される電圧の値を適宜調節することにより、複数の発光部１２０の輝度の相対比を調節することができる。
【００２１】
本実施形態において、複数の発光部１２０のそれぞれの検査を行う場合、発光部１２０の陽極に接続する端子（陽極端子１０２又はある端子１５２）と、その発光部１２０の陰極に接続する端子（端子１５２又は陰極端子１０４）に検査装置の端子を接続すればよい。例えば図１において、図中左側の発光部１２０を検査するときは、陽極端子１０２と端子１５２に検査装置の端子を接続すればよい。また、図中右側の発光部１２０を検査するときは、端子１５２と陰極端子１０４に検査装置の端子を接続すればよい。従って、有機ＥＬパネル１００を製造した後に、複数の発光部１２０を個別に検査することができる。
【実施例】
【００２２】
（実施例１）
図４は、実施例１に係る発光装置１０の平面図である。図５は、図４のＢ−Ｂ断面図である。図６は、発光装置１０が有する回路基板２００の平面図である。本実施例に係る発光装置１０は、以下の点を除いて実施形態に係る発光装置１０と同様の構成である。
【００２３】
まず、図４に示すように、有機ＥＬパネル１００は、複数の発光部１２０別に端子部１０６を有している。端子部１０６は、いずれも陽極端子１０２及び陰極端子１０４を備えている。陽極端子１０２は、その発光部１２０の陽極に接続しており、陰極端子１０４は、その発光部１２０の陰極に接続している。
【００２４】
本図に示す例では、発光部１２０は、図中ｘ方向に２つに分けられており、さらに図中ｙ方向に２つに分けられている。その結果、有機ＥＬパネル１００は、４つの発光部１２０を有している。端子部１０６は、基板１１０の４つの角１１２のそれぞれに設けられている。
【００２５】
そして図５に示すように、陽極端子１０２には陽極リード部１４２が取り付けられており、陰極端子１０４には陰極リード部１４４が取り付けられている。陽極リード部１４２は、陽極端子１０２を、後述する回路基板２００の陽極端子２０２に接続しており、陰極リード部１４４は、陰極端子１０４を回路基板２００の陰極端子２０４に接続している。
【００２６】
また、図５に示すように、有機ＥＬパネル１００のうち基板１１０とは逆側の面には、回路基板２００が設けられている。回路基板２００は、少なくとも複数の端子部２０６及び配線２２０を有している。端子部２０６は、陽極端子２０２及び２０４を有している。陰極端子２０４は、陰極リード部１４４を介して陰極端子１０４に接続しており、陽極端子２０２は、陽極リード部１４２を介して陽極端子１０２に接続している。回路基板２００は、さらに、有機ＥＬパネル１００を制御する制御回路２１０の一部又は全部を有していてもよい。なお、回路基板２００の平面形状は、有機ＥＬパネル１００の平面形状とほぼ同様である。
【００２７】
回路基板２００の配線２２０は、複数の発光部１２０を直列につなぐように設けられている。詳細には、制御回路２１０は、第１の端子部２０６の陽極端子２０２と、第２の端子部２０６の陰極端子２０４に接続している。そして、残りの陰極端子２０４は、その隣の端子部２０６の陽極端子２０２に接続しており、残りの陽極端子２０２は、その隣の端子部２０６の陰極端子２０４に接続している。
【００２８】
言い換えると、本実施例では、接続部材は、引出配線１２２及び引出配線１２４（第１接続部）、陽極端子１０２及び陰極端子１０４、陽極リード部１４２及び陰極リード部１４４（第３接続部）、陽極端子２０２及び陰極端子２０４、ならびに配線２２０（第２接続部）によって構成されている。上流側に位置する発光部１２０の陰極は、その陰極に接続する引出配線１２４、陰極端子１０４、陰極リード部１４４、陰極端子２０４、配線２２０、陽極端子２０２、陽極リード部１４２、陽極端子１０２、及び引出配線１２２を介して、下流側に位置する発光部１２０の陽極に接続している。
【００２９】
本実施例によっても、実施形態と同様に、有機ＥＬパネル１００を製造した後に、複数の発光部１２０を個別に検査することができる。また、実施形態と同様に、端子１５２にリード部が接続されている場合、端子１５２に印加される電圧の値を適宜調節することにより、複数の発光部１２０の輝度の相対比を調節することができる。
【００３０】
(実施例２)
図７は、実施例２に係る発光装置１０が有する有機ＥＬパネル１００の構成を示す平面図である。図８は、図７から隔壁１２９及び第２電極１２７を取り除いた図である。図９は、図７のＣ−Ｃ断面図である。本実施例に係る発光装置１０は、以下の点を除いて、実施形態に係る発光装置１０と同様の構成である。
【００３１】
まず、有機ＥＬパネル１００の基板１１０は矩形である。そして、複数の発光部１２０は、基板１１０の一つの辺に沿って並べられている。これら複数の発光部１２０は、いずれも同一の色を発光してもよいし、互いに異なる色を発光する発光部１２０が繰り返し配置されていてもよい。例えば有機ＥＬパネル１００の基板１１０の上には、赤色を発光する発光部１２０、緑色を発光する発光部１２０、及び青色を発光する発光部１２０が繰り返し配置されている。この場合、複数の発光部１２０が同時に発光することにより、有機ＥＬパネル１００は白色の光を発光する。
【００３２】
そして、発光部１２０は、いずれも、基板１１０の上に、第１電極１２５、有機層１２６、及び第２電極１２７をこの順に積層した構成を有している。隣り合う発光部１２０の第１電極１２５の間には、絶縁部材１２８が形成されている。絶縁部材１２８は、例えばポリイミドなどの感光性の樹脂によって形成されている。また、複数の第１電極１２５のそれぞれの上には、隔壁１２９が形成されている。隔壁１２９も、ポリイミドなどの感光性の樹脂によって形成されている。そして、有機層１２６は、第１電極１２５上のうち隔壁１２９と絶縁部材１２８の間に位置する領域に設けられている。
【００３３】
隣り合う隔壁１２９の間には、第２電極１２７が設けられている。第２電極１２７の一部は、絶縁部材１２８を乗り越えて、隣の発光部１２０の第１電極１２５のうち絶縁部材１２８と隔壁１２９の間に位置する部分に接続している。すなわち本実施例では、第２電極１２７の一部が配線１５０となっている。そして、発光部１２０が並んでいる方向（図７〜９におけるｘ方向）において、最も端に位置する２つの発光部１２０のうち、一方の発光部１２０の第１電極１２５(例えば図中最も左側に位置する第１電極１２５)は、封止部材１３０の外部に延在して引出配線１２２及び陽極端子１０２となっている。また、引出配線１２４は、第１電極１２５と同一層を用いて形成されており、上記した２つの発光部１２０のうちの他方の第２電極１２７（例えば図中最も右側に位置する第２電極１２７）の一部（配線１５０）に接続している。このようにして、複数の発光部１２０は、直列に接続されている。
【００３４】
そして、図８に示すように、第１電極１２５のうち、平面視で絶縁部材１２８と隔壁１２９の間に位置する部分は、発光部１２０が並んでいる方向に対して直交する方向に分岐し、封止部材１３０の外部に引き出されて端子１５２となっている。
【００３５】
本実施例によっても、実施形態と同様に、有機ＥＬパネル１００を製造した後に、複数の発光部１２０を個別に検査することができる。また、実施形態と同様に、端子１５２にリード部が接続されている場合、端子１５２に印加される電圧の値を適宜調節することにより、複数の発光部１２０の輝度の相対比を調節することができる。
【００３６】
（実施例３）
図１０は、実施例３に係る発光装置１０の構成を示す平面図である。本実施例に係る発光装置１０は、複数の発光部１２０が有機ＥＬパネル１００の内部で直列に接続されている点を除いて、実施例１に係る発光装置１０と同様の構成である。
【００３７】
詳細には、有機ＥＬパネル１００の基板１１０の上には、配線１５０及び端子１５２が設けられている。配線１５０及び端子１５２の構成は、実施形態に示した通りである。
【００３８】
本実施例によっても、実施形態と同様に、有機ＥＬパネル１００を製造した後に、複数の発光部１２０を個別に検査することができる。また、実施形態と同様に、端子１５２にリード部が接続されている場合、端子１５２に印加される電圧の値を適宜調節することにより、複数の発光部１２０の輝度の相対比を調節することができる。
【００３９】
以上、図面を参照して実施形態及び実施例について述べたが、これらは本発明の例示であり、上記以外の様々な構成を採用することもできる。
【符号の説明】
【００４０】
１０ 発光装置
１００ 有機ＥＬパネル
１０２ 陽極端子
１０４ 陰極端子
１０６ 端子部
１１０ 基板
１２０ 発光部
１３０ 封止部材
１５０ 配線
１５２ 端子
２００ 回路基板
２０２ 陽極端子
２０４ 陰極端子
２０６ 端子部
２１０ 制御回路
２２０ 配線
【図１】
2015122262.tif 000003
【図２】
2015122262.tif 000004
【図３】
2015122262.tif 000005
【図４】
2015122262.tif 000006
【図５】
2015122262.tif 000007
【図６】
2015122262.tif 000008
【図７】
2015122262.tif 000009
【図８】
2015122262.tif 000010
【図９】
2015122262.tif 000011
【図１０】
2015122262.tif 000012